(57)【要約】【課題】止水性を向上できる連窓を提供すること。【解決手段】連窓１は、左右の窓および方立５を備える。方立５は、方立本体５０と、方立本体５０の下端に端部シール材１５を介して取り付けられた下部キャップ５７とを備える。方立本体５０には側溝部６０が形成される。方立本体５０には、側溝部６０に上下方向に沿って配置された長尺シール材６５と、側溝部６０の下端部に配置された下部シール材６６とが設けられる。長尺シール材６５の側面６５２は、縦枠の外周見込み面部に当接する。下部シール材６６の側面６６８および下縁６６３は、縦枠の外周見込み面部および下部キャップ５７側の端部シール材１５に当接する。【選択図】図６
2020007864.tif 000002
【特許請求の範囲】
【請求項１】
室外側および室内側を仕切る連窓であって、
左右の窓と、前記左右の窓を連結した方立とを備えており、
前記左右の窓は、少なくとも左右の縦枠を有した枠体をそれぞれ備えており、
前記方立は、前記左右の窓の互いに隣り合う前記縦枠の間に配置された方立本体と、前記方立本体の下端に端部シール材を介して取り付けられた下部キャップとを備えており、
前記方立本体には、一対の側片および底片を有して凹状に形成された側溝部が上下方向に沿って形成されており、
前記方立本体には、前記側溝部に上下方向に沿って配置された長尺シール材と、前記側溝部の下端部に配置された下部シール材とが設けられており、
前記長尺シール材の側面は、前記縦枠の見込み面部に当接しており、
前記下部シール材の側面および下縁は、前記縦枠の見込み面部および前記端部シール材に当接している
ことを特徴とする連窓。
【請求項２】
請求項１に記載の連窓において、
前記方立本体は、方立前面部および一対の方立側面部と、前記方立前面部から室外側に延出した方立見込み片部と、前記方立見込み片部の室外端部に連続していると共に隣り合う前記縦枠の室外端面部に沿った方立見付け片部とを有しており、
前記側溝部は、前記方立側面部に形成されている
ことを特徴とする連窓。
【請求項３】
請求項１または請求項２に記載の連窓において、
前記長尺シール材および前記下部シール材は、前記側溝部を形成する前記一対の側片のうち室外側にある側片に沿って配置されており、
前記方立の見込み方向における前記下部シール材の見込み寸法は、前記長尺シール材の見込み寸法よりも大きい寸法とされており、
前記長尺シール材の下端は、前記下部シール材の上縁のうち前記長尺シール材よりも室内側に位置する室内側上縁よりも低い位置にある
ことを特徴とする連窓。
【請求項４】
請求項１から請求項３のいずれか一項に記載の連窓において、
前記下部シール材の室外側縦縁および室内側縦縁は、前記側溝部を形成する前記一対の側片にそれぞれ当接している
ことを特徴とする連窓。
【請求項５】
請求項１から請求項４のいずれか一項に記載の連窓において、
前記枠体の前記左右の縦枠は、断面同一形状の形材によってそれぞれ形成されており、
前記形材は、前記縦枠の前記見込み面部から見付け方向に延出した取付ヒレ部を有しており、
前記左右の縦枠のうち前記方立側に位置する縦枠では、前記取付ヒレ部は切断されたヒレ切断部が形成されており、
前記ヒレ切断部は、前記側溝部の開口に位置しており、
前記長尺シール材は、前記ヒレ切断部よりも室外側に配置されている
ことを特徴とする連窓。
【発明の詳細な説明】
【技術分野】
【０００１】
本発明は、左右の窓を連設した連窓に関する。
【背景技術】
【０００２】
従来、方立によって複数の窓枠を連設してなる連窓が知られている（特許文献１参照）。各窓枠は上枠、下枠および左右の縦枠によって枠組みされており、縦枠の室外側には係止用凸部が形成されており、縦枠の室内側には固定面が設けられている。方立は、室外側に配置された外装壁部と、室内側に配置された固定部と、外装壁部および固定部を連結した一対の連結壁部とによって構成されており、外装壁部が縦枠の室外部分に係合し、固定部が縦枠の室内側の固定面にネジ止めされている。
方立の一対の連結壁部には、シール材が装着された溝が縦方向に連続して形成されており、シール材は、縦枠および方立を連結した際に縦枠に密着して水密性を確保する。方立の上下両端部には、シーラーおよびキャップが取り付けられ、更にキャップの周辺部にシーリング剤が充填されて防水処理される。また、方立の最下端部には排水孔が形成されており、方立の外装壁部と縦枠の室外部分との係合箇所から雨水が浸入しても排水孔から排出可能である。
【先行技術文献】
【特許文献】
【０００３】
【特許文献１】特開平８−１２１０２２号公報
【発明の概要】
【発明が解決しようとする課題】
【０００４】
ところで、特許文献１に記載の連窓では、方立の外装壁部と縦枠の外壁部分との係合箇所から浸入する雨水量が排水孔からの排水量を上回る場合には、縦枠、方立およびシール材によって形成された室外側空間に雨水が溜まってしまい、雨水がシール材の下端から室内側に浸入するおそれがある。
また、前述したように溜まる雨水を止水する止水性能を有した高価な材料によってシール材全体を形成すると、材料コストを低く抑えることが困難となる。
【０００５】
本発明の目的は、止水性を向上できる連窓を提供することにある。
【課題を解決するための手段】
【０００６】
本発明の連窓は、室外側および室内側を仕切る連窓であって、左右の窓と、前記左右の窓を連結した方立とを備えており、前記左右の窓は、少なくとも左右の縦枠を有した枠体をそれぞれ備えており、前記方立は、前記左右の窓の互いに隣り合う前記縦枠の間に配置された方立本体と、前記方立本体の下端に端部シール材を介して取り付けられた下部キャップとを備えており、前記方立本体には、一対の側片および底片を有して凹状に形成された側溝部が上下方向に沿って形成されており、前記方立本体には、前記側溝部に上下方向に沿って配置された長尺シール材と、前記側溝部の下端部に配置された下部シール材とが設けられており、前記長尺シール材の側面は、前記縦枠の見込み面部に当接しており、前記下部シール材の側面および下縁は、前記縦枠の見込み面部および前記端部シール材に当接していることを特徴とする。
【発明の効果】
【０００７】
本発明によれば、止水性を向上できる連窓を提供することができる。
【図面の簡単な説明】
【０００８】
【図１】本発明の実施形態に係る連窓を示す斜視図。
【図２】図１に示すＩＩ−ＩＩ線に沿った縦断面図。
【図３】図２に示すＩＩＩ−ＩＩＩ線に沿った横断面図。
【図４】前記実施形態に係る連窓の要部を示す横断面図。
【図５】前記実施形態に係る連窓の方立を示す側面図。
【図６】前記実施形態に係る連窓の方立下部を示す斜視図。
【図７】前記実施形態に係る連窓の方立上部を示す斜視図。
【発明を実施するための形態】
【０００９】
［本実施形態の構成］
以下、本発明の実施形態を図面に基づいて説明する。
図１において、本実施形態に係る連窓１は、室内外を仕切るものであって、左右の窓２，３と、窓２，３を連結した方立５とを備えている。
以下の説明において、連窓１の左右方向をＸ軸方向とし、連窓１の上下方向をＹ軸方向とし、連窓１の屋内外方向（見込み方向）をＺ軸方向とする。Ｘ，Ｙ，Ｚ軸方向は互いに直交する。
【００１０】
窓２は、図１〜図３に示すように、上枠２１、下枠２２および左右の縦枠２３，２４によって枠組みされた窓枠２０（枠体）と、窓枠２０内に配置された面材２５とを備えている。本実施形態では、面材２５が窓枠２０に保持された嵌め殺し窓によって構成されている。上枠２１、下枠２２および縦枠２３，２４は、本実施形態では断面同一形状であり、アルミ製や樹脂製の押出形材によって形成されていてもよく、また、アルミ樹脂複合形材によって形成されていてもよい。面材２５は、単層や複層のガラスパネルによって構成される。
【００１１】
上枠２１、下枠２２および縦枠２３，２４を形成する共通の形材２０Ａは、本体枠部２６と、本体枠部２６から室外側に延出した延出枠部２７と、面材２５の室内面を受ける気密材１１が装着される気密材装着部２８と、面材２５の室外面を押える押縁１２が係合する押縁係合溝部２９とを有している。
本体枠部２６は、室外見付け面部２６１、外周見込み面部２６２（見込み面部）、内周見込み面部２６３および室内見付け面部２６４によって中空枠状に形成されており、外周見込み面部２６２および内周見込み面部２６３は、室内見付け面部２６４に間隔を隔てて沿った連続片部２６５によって互いに連続している。外周見込み面部２６２には、その外周側に突出した取付ヒレ部２６６（釘ヒレ部）が形成されている。内周見込み面部２６３および室内見付け面部２６４の連続部分には、室内側に突出した室内ヒレ部２６７が形成されている。室内見付け面部２６４には、Ｚ軸方向に沿った一対の側片４１，４２およびこれらに連続した底片４３によって溝部４０が形成されている（図４参照）。
延出枠部２７は、室外見付け面部２６１から室外側に延出した二つの延出見込み面部２７１，２７２と、延出見込み面部２７１，２７２の室外端部に連続した室外端面部２７３とを有しており、室外見付け面部２６１とともに中空枠状に形成されている。
気密材装着部２８は、内周見込み面部２６３の室内端部から内周側に延出して形成されており、その延出端部に気密材１１が係合した係合溝部２８１が形成されている。押縁係合溝部２９は、室外見付け面部２６１および内周見込み面部２６３の連続部分に形成されている。
【００１２】
上枠２１、下枠２２および縦枠２３の取付ヒレ部２６６および室内ヒレ部２６７は建物壁部にそれぞれネジ止めされる。また、図４に示すように、縦枠２３に対して方立本体５０側に位置する縦枠２４の取付ヒレ部２６６は切断されており、この切断跡をヒレ切断部２６６Ａと称する。ヒレ切断部２６６Ａは、後述する側溝部６０の開口６０Ａに位置している。
窓２では、縦枠２３の上下端部および上枠２１、下枠２２の一端部は斜め切断されて互いに突き合わされており、縦枠２４は、上枠２１および下枠２２の他端部に対して縦勝ちとされている。
【００１３】
窓３は、図１〜図３に示すように、上枠３１、下枠３２および左右の縦枠３３，３４によって枠組みされた窓枠３０（枠体）と、窓枠３０内に配置された面材３５とを備えており、本実施形態では、面材３５が窓枠３０に保持された嵌め殺し窓によって構成されている。上枠３１、下枠３２、縦枠３３，３４および面材３５は、前述した上枠２１、下枠２２、縦枠２３，２４および面材２５と概ね同様に形成されているが、縦枠３４の上下端部と上枠３１および下枠３２の一端部は斜め切断されて互いに突き合わされており、縦枠３４よりも方立本体５０側に位置する縦枠３３が、上枠３１および下枠３２の他端部に対して縦勝ちとされている構成が窓２と異なっている。
【００１４】
方立５は、方立本体５０と、方立本体５０の上端に取り付けられた下部キャップ５７と、方立本体５０の下端に取り付けられた上部キャップ５８と、方立本体５０に室外側から連結した方立アタッチメント７０とを備えている。
方立本体５０は、アルミ押出形材によってそれぞれ形成されている。方立本体５０は、図４に示すように、窓２，３の縦枠２４，３３間に配置される方立本体部５１と、方立本体部５１に対して室外側に位置した方立見付け片部５２と、方立見付け片部５２の左右の側縁部から室内側に突出した一対の規制片部５３，５４（第一規制片部）とを有している。方立本体部５１は、方立前面部５５１、方立後面部５５２およびこれらに連続した一対の方立側面部５５３，５５４によって中空枠状に形成された中空枠部５５と、方立前面部５５１から室外側に延出した方立見込み片部５６とを有している。
方立側面部５５３，５５４には、Ｘ軸方向に沿った一対の側片６１，６２およびこれらに連続した底片６３によって側溝部６０がそれぞれ形成されており、底片６３同士は連続片部５５５によって連続している。なお、方立側面部５５３，５５４のうち側片６２および方立後面部５５２の間に位置する部分は縦枠２４，３３の外周見込み面部２６２からＸ軸方向に若干離間して配置される。
方立見込み片部５６は、縦枠２４，３３の延出見込み面部２７１に対してＸ軸方向に間隔を隔てて配置されている。また、方立見込み片部５６には、下部キャップ５７および上部キャップ５８をネジ止めするためのビスホール５６１が形成されている。
方立見付け片部５２は、方立見込み片部５６の室外端部に連続しており、縦枠２４，３３の室外端面部２７３に沿って配置されている。規制片部５３は、縦枠２４の延出見込み面部２７２に対してＸ軸方向に対向している。規制片部５４は、縦枠３３の延出見込み面部２７２に対してＸ軸方向に対向している。このように、縦枠２４，３３の延出枠部２７は規制片部５３，５４によって挟み込まれることでＸ軸方向に機械拘束されている。なお、方立見付け片部５２には、縦枠２４，３３の室外端面部２７３に当接する水密材（図示省略）が貼り付けられることで一次止水部が構成されている。
【００１５】
各側溝部６０には、図５に示すように、Ｙ軸方向に延びた乾式の長尺シール材６５と、側溝部６０の下端部に配置されて長尺シール材６５の下端に突き合わされた下部シール材６６と、側溝部６０の上端部に配置されて長尺シール材６５の上端に突き合わされた上部シール材６７とが設けられており、前述した一次止水部よりも室内側の位置に二次止水部を構成している。本実施形態では、長尺シール材６５は、ＰＶＣ（ｐｏｌｙｖｉｎｙｌ  ｃｈｌｏｒｉｄｅ）スポンジを材料として形成されており、下部シール材６６および上部シール材６７は、ブチルゴムを材料として形成されているが、前述した材料以外の材料によってそれぞれ形成されていてもよい。長尺シール材６５の厚さ寸法は、下部シール材６６および上部シール材６７の厚さ寸法よりも小さい。このため、下部シール材６６および上部シール材６７が外周見込み面部２６２に圧接して長尺シール材６５よりも大きく圧縮されるので、下部シール材６６および上部シール材６７による高い止水性を発揮できる。一方、長尺シール材６５は下部シール材６６および上部シール材６７よりも薄い分、外周見込み面部２６２に対する圧接による反発力が小さいので組立性を向上できる。
【００１６】
長尺シール材６５は、図４に示すように断面矩形状に形成されており、長尺シール材６５の方立本体５０側の側面６５１は底片６３に貼り付けられており、長尺シール材６５の縦枠２４，３３側の側面６５２は外周見込み面部２６２に圧接している。長尺シール材６５のＺ軸方向における寸法は側溝部６０のＺ軸方向における寸法よりも小さい寸法とされており、長尺シール材６５の室外側縦縁６５３は側片６１に当接しており、長尺シール材６５の室内側縦縁６５４はヒレ切断部２６６Ａよりも室外側に位置しており、このように長尺シール材６５全体は、縦枠２４，３３のヒレ切断部２６６Ａよりも室外側に配置されている。長尺シール材６５の下端６５５のＺ軸方向における寸法は、その上端６５６のＺ軸方向における寸法と同じ寸法である（図５参照）。また、長尺シール材６５のＸ軸方向における厚さ寸法は、側溝部６０のＺ軸方向における深さ寸法よりも大きい寸法とされており、長尺シール材６５のうち側溝部６０から突出する部分は、長尺シール材６５が外周見込み面部２６２によってＸ軸方向に押し潰されることで側溝部６０に収まっている。
【００１７】
下部シール材６６は、図５および図６に示すように、室外側縦縁６６１と、室内側縦縁６６２と、室外側縦縁６６１および室内側縦縁６６２に連続した下縁６６３と、室外側縦縁６６１に連続した室外側上縁６６４と、室内側縦縁６６２に連続した室内側上縁６６５と、室外側上縁６６４および室内側上縁６６５に連続した立上り縁６６６とを有しており、図４に示すように、下部シール材６６の方立本体５０側の側面６６７は底片６３に貼り付けられており、下部シール材６６の縦枠２４，３３側の側面６６８は外周見込み面部２６２に圧接している。下部シール材６６の室外側縦縁６６１は側片６１に当接しており、室内側縦縁６６２は側片６２に当接しており、下縁６６３は下部キャップ５７側の端部シール材１５に当接しており、室外側上縁６６４は長尺シール材６５の下端６５５に当接しており、立上り縁６６６は長尺シール材６５の室内側縦縁６５４に当接しており、室内側上縁６６５は、長尺シール材６５および側片６２の間に位置している。室内側上縁６６５は、方立前面部５５１、方立見込み片部５６、方立見付け片部５２、外周見込み面部２６２および下部キャップ５７によって形成された空間１０（図４参照）に溜まる雨水の想定水面レベルよりも高い位置に配置されており、室外側上縁６６４は室内側上縁６６５よりも低い位置に配置されている。下部シール材６６の室外側縦縁６６１から室内側縦縁６６２までのＺ軸方向における寸法は、側溝部６０のＺ軸方向における寸法と同じ寸法であり、室内側縦縁６６２のＹ軸方向における長さ寸法は室外側縦縁６６１のＹ軸方向における長さ寸法よりも大きい寸法とされており、室外側上縁６６４のＺ軸方向における長さ寸法は、長尺シール材６５の下端６５５のＺ軸方向における寸法と同じである。また、下部シール材６６のＸ軸方向における厚さ寸法は、側溝部６０のＺ軸方向における深さ寸法よりも大きい寸法とされており、下部シール材６６のうち側溝部６０から突出する部分は、下部シール材６６が外周見込み面部２６２によってＸ軸方向に押し潰されることで側溝部６０に収まっている。
【００１８】
上部シール材６７は、本実施形態では図５に示すように、下部シール材６６と共通部材によって同形状に形成されており、上下逆向きに設置されている。図４〜図７に示すように、上部シール材６７の室外側縦縁６７１は室外側縦縁６６１に対応し、室内側縦縁６７２は室内側縦縁６６２に対応し、上縁６７３は下縁６６３に対応し、室外側下縁６７４は室外側上縁６６４に対応し、室内側下縁６７５は室内側上縁６６５に対応し、垂下縁６７６は立上り縁６６６に対応し、側面６７７は側面６６７に対応し、側面６７８は側面６６８に対応する。上部シール材６７の上縁６７３は上部キャップ５８側の端部シール材１５に当接し、室外側下縁６７４は長尺シール材６５の上端６５６に当接している。
【００１９】
下部キャップ５７は、図６に示すように、板状の下部キャップ部材５７１と、下部キャップ部材５７１に沿って室外側に設置された排水部材５７２とによって構成されており、下部キャップ部材５７１の上面に沿ってシート状の端部シール材１５が設けられている。排水部材５７２には図示しない排水孔が形成されており、この排水孔から空間１０に溜まる雨水を排水可能に構成されている。下部キャップ部材５７１および排水部材５７２は、方立見込み片部５６のビスホール５６１の下部にネジ止めされている。
上部キャップ５８は、図７に示すように板状に形成されており、上部キャップ５８の下面に沿ってシート状の端部シール材１５が設けられている。上部キャップ５８は、方立見込み片部５６のビスホール５６１の上部にネジ止めされている。
【００２０】
方立アタッチメント７０は、アルミ押出形材によって形成されており、図４に示すように、Ｙ軸方向に延びたアタッチメント本体部７１と、アタッチメント本体部７１のＹ軸方向に沿った左右の側縁部から室外側に延出した一対の規制片部７２，７３（第二規制片部）とを有している。
アタッチメント本体部７１のＸ軸方向における中央部には、一対の側片７４，７５およびこれらに連続した頂片７６によって室外側に凸状とされた凸部７７が形成されている。頂片７６は、アタッチメント本体部７１の凸部に対して左右に位置する側部７８，７９よりも室外側に位置している。規制片部７２は側部７８に連続しており、規制片部７３は側部７９に連続している。
この方立アタッチメント７０では、凸部７７が縦枠２４，３３の間に配置され、頂片７６をネジ１３によって方立後面部５５２にネジ連結すると、側片７４，７５は縦枠２４，３３の外周見込み面部２６２に対してＸ軸方向に対向して位置し、側部７８，７９は縦枠２４，３３の室内見付け面部２６４に沿って位置し、規制片部７２は縦枠２４の溝部４０に配置されて側片４１にＸ軸方向に対向して位置し、規制片部７３は縦枠３３の溝部４０に配置されて側片４１にＸ軸方向に対向して位置する。このように縦枠２４，３３がその室内側で規制片部７２，７３によって挟み込まれることでＸ軸方向に機械拘束されている。方立アタッチメント７０が方立本体５０に対してネジ１３によってネジ連結した状態で、更に側部７８，７９を固定具であるネジ１４によって縦枠２４，３３の室内見付け面部２６４にそれぞれネジ止めすることで、方立アタッチメント７０によって縦枠２４，３３をより強固に連結する。
前述した連窓１において、縦枠２４，３３の室内ヒレ部２６７には、図４に示すように樹脂製カバー８０（化粧カバー）がネジ止めされており、この樹脂製カバー８０によって方立アタッチメント７０および縦枠２４，３３のうち室内ヒレ部２６７間に位置する部分が室内側から覆われている。このように樹脂製カバー８０によって方立アタッチメント７０などを覆うことで、シンプルな内観を構成できる。
【００２１】
以上の連窓１は、次のように窓２，３が連結されることによって構成される。
先ず、窓２，３を方立本体５０に対して設置する。具体的には、窓２の縦枠２４の外周見込み面部２６２を方立本体５０の方立側面部５５３に沿って配置し、続いて、縦枠２４を方立本体５０に対して室外側に移動して、縦枠２４の室外端面部２７３を方立本体５０の方立見付け片部５２に当接させ且つ規制片部５３を縦枠２４の延出見込み面部２７２に掛ける。一方、窓３の縦枠３３の外周見込み面部２６２を方立本体５０の方立側面部５５４に沿って配置し、続いて、縦枠３３を方立本体５０に対して室外側に移動して、縦枠３３の室外端面部２７３を方立本体５０の方立見付け片部５２に当接させ且つ規制片部５４を縦枠３３の延出見込み面部２７２に掛ける。このようにして、規制片部５３，５４によって縦枠２４，３３の室外部分を挟み込んだ状態とする。なお、窓２，３の方立本体５０に対する前述した設置は、当該窓２，３のいずれを先に行ってもよい。
次に、方立アタッチメント７０を方立本体５０に連結する。具体的には、方立アタッチメント７０の凸部７７を縦枠２４，３３間に室内側から入れ込み、規制片部７２，７３を各溝部４０に配置しつつ、側部７８、７９を縦枠２４，３３の室内見付け面部２６４に当接させ、続いて、凸部７７の頂片７６および方立本体５０の方立後面部５５２をネジ１３によって螺合連結し、規制片部７２，７３によって縦枠２４，３３の室内部分を挟み込んだ状態とする。
次に、方立アタッチメント７０の側部７８，７９を縦枠２４，３３の室内見付け面部２６４にネジ１４によってそれぞれネジ止めし、これにより、方立本体５０および方立アタッチメント７０によって左右の窓２，３を連結する。なお、方立本体５０および方立アタッチメント７０による窓２，３の連結後、樹脂製カバー８０が縦枠２４，３３の室内ヒレ部２６７にネジ止めされる。
【００２２】
前述した連窓１は、次のようにして方立５および縦枠２４，３３間への雨水の浸入を抑制する。先ず、室外側における雨水は、方立見付け片部５２および室外端面部２７３間の水密材（図示省略）によって構成される一次止水部で室外側から空間１０への雨水の浸入が抑制されるが、雨風が強い場合などには室外側から空間１０へ雨水がある程度浸入する。空間１０へ浸入した雨水は、長尺シール材６５、下部シール材６６および上部シール材６７によって構成される二次止水部で空間１０から更に室内側への雨水の浸入が抑制され、空間１０の雨水は排水部材５７２の排水孔から室外側外部へ排出される。
ここで、空間１０へ浸入する雨水が多くなり、空間１０における雨水量が当該空間１０から排水可能な排水量を上回る場合には、空間１０の下部に雨水が溜まることとなる。このとき、側溝部６０の下端部には下部シール材６６が設置されているので、空間１０における雨水の水面レベルが下部シール材６６の室内側上縁６６５の位置よりも高くならない範囲内で、空間１０から更に室内側への雨水の侵入を阻止できる。
【００２３】
[本実施形態の効果]
（１）前記実施形態によれば、連窓１は、特に、方立側面部５５３，５５４の側溝部６０にＹ軸方向に沿って配置された長尺シール材６５と、側溝部６０の下端部に配置された下部シール材６６とが方立本体５０に設けられており、長尺シール材６５の側面６５２は、外周見込み面部２６２に当接しており、下部シール材６６の側面６６８および下縁６６３は、外周見込み面部２６２および下部キャップ５７側の端部シール材１５に当接していることを特徴とする。上記構成を有するため、長尺シール材６５と下部シール材６６とを別々の材料で形成でき、室外側から空間１０へ浸入する雨水量が外部への排水量を上回って当該空間１０に溜まる雨水が、縦枠２４，３３の外周見込み面部２６２および方立側面部５５３，５５４の間から室内側へ浸入することを抑制可能な止水性能を有する材料によって下部シール材６６を形成できる一方、方立５に沿って下方に流れ落ちる雨水を止水する止水性能を有するが、前述したように空間１０に溜まる雨水を止水できる程度に高い止水性能までは有していない安価な材料によって長尺シール材６５を形成できる。
また、縦枠２４，３３を方立５に組み付ける際に、下部シール材６６や上部シール材６７よりも押し潰しやすい材料によって長尺シール材６５を形成することで、縦枠２４，３３の方立５に対する施工性を向上できる。
（２）長尺シール材６５の下端６５５は、下部シール材６６の上縁のうち長尺シール材６５よりも室内側に位置する室内側上縁６６５よりも低い位置にあるので、空間１０に雨水がある程度溜まっても、溜まる雨水の水面レベルが下部シール材６６の室内側上縁６６５よりも高い位置とならない範囲内で、下部シール材６６によって雨水の室内側への浸入を止水できる。また、下部シール材６６の見込み寸法を長尺シール材６５の見込み寸法よりも大きい寸法とすることで、下部シール材６６による見込み方向における止水領域を広げることができ、より高い止水性を発揮できる。更に、下部シール材６６の上縁のうち長尺シール材６５の下端６５５に突き合わせられる室外側上縁６６４を室内側上縁６６５よりも低い位置とするので、長尺シール材６５を長く形成することができて下部シール材６６を形成する材料を減らすことができ、これにより材料コストを削減できる。加えて、側溝部６０を形成する側片６１、下部シール材６６の室外側上縁６６４および立上り縁６６６によって長尺シール材６５の下端６５５が収まる凹部を構成できる。このため、例えば工場等で予め下部シール材６６を側溝部６０の下端部に設置しておくことで、長尺シール材６５を設置する際に下端６５５を前記凹部に配置することで、長尺シール材６５の位置決めを容易に行うことができる。
（３）下部シール材６６の室外側縦縁６６１および室内側縦縁６６２は、側溝部６０を形成する一対の側片６１，６２にそれぞれ当接しているので、室外側縦縁６６１が側片６１からＺ軸方向に離間し難い構成にでき、側片６１および下部シール材６６の間を密に塞ぐことができ、止水性を更に向上できる。
（４）長尺シール材６５は、縦枠２４，３３のヒレ切断部２６６Ａよりも室外側に配置されるので、縦枠２４，３３を方立５に組み付ける際に長尺シール材６５がヒレ切断部２６６Ａに引っ掛かりにくい構成にでき、施工性を向上できる。
【００２４】
[変形例]
前記実施形態では、側溝部６０の上端部に上部シール材６７が設けられて止水性が向上されているが、これがなくても上部からの雨水の浸入を十分に抑制できる場合には、この構成を省略してもよい。また、上部シール材６７は、下部シール材６６に対して異なる材質、形状であってもよい。
前記実施形態では、下部シール材６６は、室外側上縁６６４と、室外側上縁６６４よりも高い位置にある室内側上縁６６５とを有しているが、これに限らず、例えば室外側縦縁６６１から室内側縦縁６６２までＺ軸方向に沿った上縁を有していてもよく、また、室外側縦縁６６１から室内側縦縁６６２に向かって斜め上に傾斜した上縁を有していてもよい。
前記実施形態では、下部シール材６６の室外側縦縁６６１および室内側縦縁６６２は、側溝部６０を形成する側片６１，６２にそれぞれ当接しているが、側片６１，６２の一方または双方に当接せずに若干の隙間を隔てていてもよい。また、長尺シール材６５の室外側縦縁６５３は側片６１に当接しているが、当接せずに若干の隙間を隔てていてもよい。
前記実施形態では、下部シール材６６のＺ軸方向における寸法は、側溝部６０のＺ軸方向における寸法と同じ寸法とされているが、これよりも小さい寸法とされていてもよい。また、窓枠２０，３０の取付ヒレ部２６６に沿って四周連続した止水ラインが形成される場合には、下部シール材６６は、少なくとも長尺シール材６５の下端６５５に対して下方の位置からヒレ切断部２６６Ａよりも室内側の位置までにわたって形成されているとよい。
前記実施形態では、窓枠２０，３０の上枠２１，３１、下枠２２，３２および左右の縦枠２３，２４，３３，３４が共通の形材２０Ａによって形成されているが、断面形状が異なる形材によってそれぞれ形成されていてもよい。
【００２５】
［本発明のまとめ］
本発明の連窓は、室外側および室内側を仕切る連窓であって、左右の窓と、前記左右の窓を連結した方立とを備えており、前記左右の窓は、少なくとも左右の縦枠を有した枠体をそれぞれ備えており、前記方立は、前記左右の窓の互いに隣り合う前記縦枠の間に配置された方立本体と、前記方立本体の下端に端部シール材を介して取り付けられた下部キャップとを備えており、前記方立本体には、一対の側片および底片を有して凹状に形成された側溝部が上下方向に沿って形成されており、前記方立本体には、前記側溝部に上下方向に沿って配置された長尺シール材と、前記側溝部の下端部に配置された下部シール材とが設けられており、前記長尺シール材の側面は、前記縦枠の見込み面部に当接しており、前記下部シール材の側面および下縁は、前記縦枠の見込み面部および前記端部シール材に当接していることを特徴とする。
本発明の連窓によれば、長尺シール材と下部シール材とが分かれているので、これらを別々の材料で形成できる。例えば、縦枠の室外部分と方立との間から浸入する雨水量が外部への排水量を上回って縦枠および方立の間の空間に雨水が溜まっても、この雨水が室内側へ浸入することを抑制可能な止水性能を有するブチルゴム等の材料によって下部シール材を形成できる。一方、方立に沿って流れ落ちる雨水を止水する止水性能を有するが、前述したように縦枠および方立の間の空間に溜まる雨水を止水できる程度に高い止水性能までは有していない安価な材料によって長尺シール材を形成できる。
【００２６】
本発明の連窓では、前記方立本体は、方立前面部および一対の方立側面部と、前記方立前面部から室外側に延出した方立見込み片部と、前記方立見込み片部の室外端部に連続していると共に隣り合う前記縦枠の室外端面部に沿った方立見付け片部とを有しており、前記側溝部は、前記方立側面部に形成されていてもよい。
このような構成によれば、例えば、縦枠の室外部分と方立の見付け片部との間から浸入する雨水量が外部への排水量を上回って方立見付け片部および方立前面部の間の空間に雨水が溜まっても、この雨水が縦枠の見込み面部および方立側面部の間から室内側へ浸入することを抑制可能な止水性能を有するブチルゴム等の材料によって下部シール材を形成できる。一方、方立に沿って流れ落ちる雨水を止水する止水性能を有するが、前述したように方立見付け片部および方立前面部の間の空間に溜まる雨水を止水できる程度に高い止水性能までは有していない安価な材料によって長尺シール材を形成できる。
【００２７】
本発明の連窓では、前記長尺シール材および前記下部シール材は、前記側溝部を形成する前記一対の側片のうち室外側にある側片に沿って配置されており、前記方立の見込み方向における前記下部シール材の見込み寸法は、前記長尺シール材の見込み寸法よりも大きい寸法とされており、前記長尺シール材の下端は、前記下部シール材の上縁のうち前記長尺シール材よりも室内側に位置する室内側上縁よりも低い位置にあってもよい。
このような構成によれば、方立見付け片部および方立前面部の間の空間に雨水がある程度溜まっても、溜まる雨水の水面レベルが下部シール材の連続した室外側上縁および室内側上縁のうち室内側上縁よりも高い位置とならない範囲内で、下部シール材によって雨水の室内側への浸入を止水できる。
また、下部シール材の見込み寸法を長尺シール材の見込み寸法よりも大きい寸法とすることで、下部シール材による見込み方向における止水領域を広げることができ、より高い止水性を発揮できる。
更に、下部シール材の上縁のうち長尺シール材の下端に突き合わせられる室外側上縁を室内側上縁よりも低い位置とするので、長尺シール材を長く形成することで下部シール材を形成する材料を減らすことができ、材料コストを削減できる。
【００２８】
本発明の連窓では、前記下部シール材の室外側縦縁および室内側縦縁は、前記側溝部を形成する前記一対の側片にそれぞれ当接していてもよい。
このような構成によれば、例えば下部シール材の室外側縦縁が一対の側片のうち室外側の側片だけに当接する場合と比べて、方立の見込み方向において一対の側片のうちの室内側の側片が下部シール材の室内側縦縁を受けるので、下部シール材の室外側縦縁が室外側の側片から離間し難い構成にでき、室外側の側片および下部シール材の間を密に塞ぐことができ、止水性を更に向上できる。
【００２９】
本発明の連窓では、前記枠体の前記左右の縦枠は、断面同一形状の形材によってそれぞれ形成されており、前記形材は、前記縦枠の前記見込み面部から見付け方向に延出した取付ヒレ部を有しており、前記左右の縦枠のうち前記方立側に位置する縦枠では、前記取付ヒレ部は切断されたヒレ切断部が形成されており、前記ヒレ切断部は、前記側溝部の開口に位置しており、前記長尺シール材は、前記ヒレ切断部よりも室外側に配置されていてもよい。
このような構成によれば、縦枠を方立に組み付ける際に長尺シール材がヒレ切断部に引っ掛かりにくい構成にでき、施工性を向上できる。
【符号の説明】
【００３０】
１…連窓、１０…空間、１５…端部シール材、２，３…窓、２０，３０…窓枠、２０Ａ…形材、２１，３１…上枠、２２，３２…下枠、２３，２４，３３，３４…縦枠、２５，３５…面材、２６２…外周見込み面部、２６６…取付ヒレ部、２６６Ａ…ヒレ切断部、２７３…室外端面部、５…方立、５０…方立本体、５２…方立見付け片部、５３…規制片部、５４…規制片部、５５…中空枠部、５５１…方立前面部、５５２…方立後面部、５５３，５５４…方立側面部、５６…方立見込み片部、５６１…ビスホール、５７…下部キャップ、５７１…下部キャップ部材、５７２…排水部材、５８…上部キャップ、６０…側溝部、６０Ａ…開口、６１，６２…側片、６３…底片、６５…長尺シール材、６５１，６５２，６６７，６６８，６７７，６７８…側面、６５３，６６１，６７１…室外側縦縁、６５４，６６２，６７２…室内側縦縁、６５５…下端、６５６…上端、６６…下部シール材、６６３…下縁、６６４…室外側上縁、６６５…室内側上縁、６６６…立上り縁、６７…上部シール材、６７３…上縁、６７４…室外側下縁、６７５…室内側下縁、６７６…垂下縁、７０…方立アタッチメント、７１…アタッチメント本体部、７２…規制片部、７３…規制片部、８０…樹脂製カバー。
【図１】
2020007864.tif 000003
【図２】
2020007864.tif 000004
【図３】
2020007864.tif 000005
【図４】
2020007864.tif 000006
【図５】
2020007864.tif 000007
【図６】
2020007864.tif 000008
【図７】
2020007864.tif 000009